(57)【要約】      （修正有）【課題】２色使いの積み木の組み合わせにより、従来の積み木玩具よりも創作性の高い積み木セットを提供する。【解決手段】本考案の積み木セットは、１種または複数種の形状の複数の積み木パーツからなり、積み木パーツの表面側の色が特定の一色に統一され、裏面側の色が表面側の色と異なる特定の一色に統一されている。また、複数の積み木パーツに加え、積み木パーツを収納する積み木箱２を備えており、積み木箱２の色も積み木パーツの表面側の色と裏面側の色の２色で構成されている。積み木箱２には、複数の積み木パーツに加え、背景用シート３が同梱されており、背景用シート３は表面側の色と裏面側の色の異なる２色で構成されている。背景用シート３の表面側の色と裏面側の色は、積み木パーツと同じ２色でも、他の異なる２色でもよい。積み木パーツには、積み木パーツどうしを繋ぐ接合部材を設けてもよい。【選択図】図７
0003212486.tif 000002
【実用新案登録請求の範囲】
【請求項１】
１種または複数種の形状の複数の積み木パーツからなる積み木セットにおいて、前記積み木パーツの表面側の色が特定の一色に統一され、裏面側の色が前記表面側の色と異なる特定の一色に統一されていることを特徴とする積み木セット。
【請求項２】
請求項１記載の積み木セットにおいて、前記複数の積み木パーツに加え、前記積み木パーツを収納する積み木箱を備えており、前記積み木箱の色も積み木パーツの表面側の色と裏面側の色の２色で構成されていることを特徴とする積み木セット。
【請求項３】
請求項２記載の積み木セットにおいて、前記積み木箱には前記複数の積み木パーツに加え、背景用シートが同梱されており、前記背景用シートは表面側の色と裏面側の色の異なる２色で構成されていることを特徴とする積み木セット。
【請求項４】
請求項１、２または３記載の積み木セットにおいて、前記積み木パーツには前記積み木パーツどうしを繋ぐための接合部材が設けられていることを特徴とする積み木セット。
【請求項５】
請求項４記載の積み木セットにおいて、前記接合部材が磁石であり、前記磁石を覆うマグネットカバーが設けられ、前記マグネットカバーは磁極を表す赤または青のどちらかの色で構成されていることを特徴とする積み木セット。
【考案の詳細な説明】
【技術分野】
【０００１】
本考案は、積み木セットに関するものである。
【背景技術】
【０００２】
従来の積み木セットは、異なる形状や色の積み木を複数個セットにして、組みあわせや配置、配色を楽しみながら遊ぶものである。
【０００３】
例えば、積み木や積み木セットに関する発明に関して、特許文献１〜３に記載されたものがある。
【０００４】
特許文献１には、単一形状の積木において、その各面に色を塗り、一つの積木内で、二色以上の色を有する色付立方体積木が記載されている。
【０００５】
特許文献２には、同じ大きさで同一形状の複数の直方体状のブロックからなるブロック玩具が記載されている。ブロックは、第一正方形側面と、第二正方形側面と、二面の正方形側面が対向する方向での中心軸の周りを回る方向に順に並ぶ第一長方形側面と、第二長方形側面と、第三長方形側面と、第四長方形側面とを有しており、各四面の長方形側面それぞれに図形が表示されていて、複数のブロックを任意に並び設けたときに各ブロックの上部位置となる長方形側面に表示された図形の組み合わせから、図形が連続してなる集合図形を形成可能にしている。
【０００６】
特許文献３には、複数の積み木ブロックからなる積み木セットであって、各積み木ブロックが弾性ゴム質材料で形成され、各積み木ブロックの各表面を鏡面仕上げすることにより粘着性を付与し、隣接する積み木ブロックの表面同士を粘着させることによって所望の平面的あるいは立体的多種幾何学形状を形成することが可能である積み木セットが記載されている。
【先行技術文献】
【特許文献】
【０００７】
【特許文献１】特開昭６３−１３２６８７号公報
【特許文献２】特開２００６−１３６６３２号公報
【特許文献３】特開２０１２−０７５７５７号公報
【考案の概要】
【考案が解決しようとする課題】
【０００８】
特許文献１記載の積木は、単一形状の立方体であり、二色以上の色を有してはいるが、配置や積み方が単調になる。また、色分けの仕方についての工夫はない。
【０００９】
特許文献２記載のブロック玩具は、各ブロックに表示されている図形を組み合わせて集合図形を形成するものであって、ブロック自体は直方体であるため、特許文献１記載の積木と同様に、ブロックの配置は単調なものになる。
【００１０】
本考案は、上述のような課題の解決を図ったものであり、２色使いの積み木の組み合わせにより、従来の積み木玩具よりも創作性の高い積み木セットを提供することを目的としている。
【課題を解決するための手段】
【００１１】
本考案に係る積み木セットは、１種または複数種の形状の複数の積み木パーツからなる積み木セットにおいて、積み木パーツの表面側の色が特定の一色に統一され、裏面側の色が表面側の色と異なる特定の一色に統一されていることを特徴とする。
【００１２】
本考案の積み木セットは、１種または複数種の形状の複数の積み木パーツからなっており、積み木パーツの形状は問わない。
【００１３】
積み木パーツは、表面側と裏面側の色が異なり、表面側と裏面側がそれぞれ異なる特定の一色で統一されている。
【００１４】
また、複数の積み木パーツに加え、積み木パーツを収納する積み木箱を備えており、積み木箱の色も積み木パーツの表面側の色と裏面側の色の２色で構成されている。
【００１５】
本考案の積み木セットにおいて、積み木箱には複数の積み木パーツに加え、背景用シートが同梱されており、背景用シートは表面側の色と裏面側の色の異なる２色で構成されている。
【００１６】
背景用シートの表面側の色と裏面側の色は、積み木パーツと同じ２色でも、他の異なる２色でもよい。
【００１７】
また、積み木パーツに積み木パーツどうしを繋ぐための接合部材を設けてもよく、積み木パーツどうしを接合する際に固定しやすくなり、安定性が増す。
【００１８】
接合部材を設ける場合、接合部カバーを設けてもよく、例えば接合部材として磁石を設ける場合は接合部カバーを赤と青の２色として、Ｎ極とＳ極を色分けするとわかりやすくなる。また、磁石の磁力を利用して簡単に組み立てることができる。
【考案の効果】
【００１９】
本考案の積み木セットは、以上のような構成からなるので次のような効果が得られる。
（１）積み木パーツの配置によって、さまざまな形や配色模様を作り出すことができ、創作性が高まる。
（２）積み木箱や背景用シートを用いることによって、積み木パーツとの配色のコントラストで楽しむことができる。
【図面の簡単な説明】
【００２０】
【図１】本考案に係る積み木セットにおける積み木パーツの一実施形態を示した斜視図である。
【図２】図１に示した積み木パーツの実施形態において、別方向から見た斜視図である。
【図３】図１、２に示した積み木パーツの実施形態において、接合部カバーを設けた場合の斜視図である。
【図４】図３の実施形態において、別方向から見た斜視図である。
【図５】本考案に係る積み木セットにおける積み木箱の一実施形態を示しており、ふたを開けた状態の斜視図である。
【図６】図５に示した積み木箱の実施形態において、収納箱を縦に置いた場合の正面図である。
【図７】図６の実施形態において、積み木箱のふたを閉めた状態を示した正面図である。
【図８】図６の実施形態において、積み木箱のふたを閉めた状態を示した背面図である。
【図９】本考案に係る積み木セットにおいて、積み木箱の背面（底面側）を背景にして積み木パーツを配置した場合を示した正面図である。
【図１０】図９の実施形態において、積み木箱の正面（ふた側）を背景として積み木パーツを配置した正面図である。
【図１１】本考案に係る積み木セットにおいて、積み木箱の背面（底面側）を背景にして積み木パーツを配置した図９、１０とは別の実施形態を示した正面図である。
【図１２】図１１の実施形態において、積み木箱の正面（ふた側）を背景として積み木パーツを配置した正面図である。
【図１３】本考案に係る積み木セットにおいて、背景用シートを使用して積み木パーツを数字になるように並べた場合の一実施形態を示した概略図である。
【考案を実施するための形態】
【００２１】
以下、本考案の具体的な実施形態を添付図面に基づいて説明する。なお、本考案は以下に示される実施形態に限定されるものではない。
【００２２】
図１、２は、本考案に係る積み木パーツ１の一実施形態を示した斜視図である。積み木パーツ１は台形型として、表面側１ａは濃い色（以下、Ａ色）、裏面側１ｂは表面側１ａより薄い色（以下、Ｂ色）で構成した。積み木パーツ１の斜辺部には、斜辺部どうしを繋げられるように接合部材１ｃとして円形の磁石を設けている。
【００２３】
図３、４は、図１、２の実施形態において、十字のマグネットカバー１ｄを設けた場合の斜視図である。例えば、接合部材１ｃとして磁石を設けた場合、Ｓ極の磁石には青色、Ｎ極の磁石には赤色のマグネットカバー１ｄを設けて色分けし、見た目にもわかりやすくするとよい。
【００２４】
積み木パーツ１の形状は台形でなくてもよく、表面側１ａと裏面側１ｂの２色は限定されない。ただし、２色のコントラストがある程度大きくなる色が望ましい。また、積み木パーツ１の形状によっては、接合部材１ｃを設けなくてもどちらでもよい。接合部材１ｃを設ける場合、磁石以外のものでもよく、積み木パーツ１どうしを接合して固定できるものであれば特に限定されない。接合部材１ｃとして磁石を用いた場合に設けるマグネットカバー１ｄの形状も特に限定されない。
【００２５】
図５〜７は、本考案に係る積み木箱２の一実施形態を示したものであり、図５は収納箱２ａとふた２ｂを並べた場合の斜視図、図６は収納箱２ａを立てて置いた場合の正面図、図５はふた２ｂを閉めた状態の正面図、図８はふた２ｂを閉めた状態の背面図を示している。
【００２６】
図５〜８に示した積み木箱２は、直方体の箱状のものとし、ふた２ｂを収納箱２ａにスライドさせて嵌め込む形状とした。積み木箱２の色は、積み木パーツ１の表面側１ａのＡ色と裏面側１ｂのＢ色の２色で構成されており、収納箱２ａの底面をＡ色、底面以外の側面４面は底面のＡ色よりも薄いＢ色とした。また、ふた２ｂの色は収納箱２ａの側面と同じＢ色とした。
【００２７】
積み木箱２の形状はどのような形状でもよく、積み木パーツ１を収納できるとよい。積み木箱２の配色についても積み木パーツ１の表面側の色と裏面側の色の２色を用いれば、特に限定されない。
【００２８】
また、図５〜８では、積み木箱２の背景に白い背景用シート３を設けており、積み木箱２の配色を見やすくしている。
【００２９】
図９〜１２には、積み木パーツ１、積み木箱２、背景用シート３を用いた配置例を示した。図９は、背景用シート３を設置し、積み木箱２の背面（底面側）のＡ色を背景にして積み木パーツ１を配置した場合の正面図である。背景とした積み木箱２の底面はＡ色であり、その積み木箱２の底面の前に積み木パーツ１を８個並べている。４個の積み木パーツ１の斜辺部をそれぞれ繋げて四角形を形成し、４個の積み木パーツ１で形成した四角形を上下に重ねている。
【００３０】
上の四角形は、積み木パーツ１の裏面側１ｂのＢ色が正面になるように配置し、下の四角形は向かって左側の積み木パーツ１だけを表面側１ａのＡ色とし、それ以外の積み木パーツ１は裏面側１ｂのＢ色が正面になるように配置した。図９の配置では、下の四角形の一番左側の積み木パーツ１と、積み木パーツ１で囲まれて背景が見える四角い空間とがＡ色であり、Ｂ色が見えている積み木パーツ１によって、数字の「９」のように配置することができた。また、白い背景用シート３を用いているため、積み木パーツ１と積み木箱２の配色のコントラストをより顕著に表現している。
【００３１】
図１０は、図９と同じように積み木パーツ１を配置して、積み木箱２のふた２ｂを正面になるように設置した場合を示した正面図である。図９は積み木パーツ１の背景がＡ色だったのに対し、図１０は積み木パーツ１の背景をふた２ｂ側のＢ色にした。図９と図１０から、積み木パーツ１と積み木箱２の配置や配色によって、積み木パーツ１の見え方が変化することが顕著にわかる。
【００３２】
図１１、１２は、図９、１０とは異なった積み木パーツ１の配置形態を示しており、図１１は積み木箱の背面（底面側）のＡ色を背景にして積み木パーツを配置した正面図、図１２は積み木箱の正面（ふた側）のＢ色を背景として積み木パーツを配置した正面図である。
【００３３】
図１１、１２では、図９、１０と同様に積み木パーツ１の斜辺部どうしを４個繋げて四角形になるようにし、その四角形を上下に重ねている。上の四角形では、底辺となる積み木パーツ１をＡ色とし、下の四角形では、向かって左側にある積み木パーツをＡ色として配色した。
【００３４】
図９〜１２が示すように、背景の色を変えるだけでも、積み木パーツ１の見え方が変わることから、本考案に係る積み木セットは表裏２色のコントラストを簡単に楽しむことができ、かつ自由に創作することができる。積み木パーツ１と積み木箱２の色や配置によって、さまざまな形や配色で遊ぶことができ、創作性の高い積み木セットである。
【００３５】
図１３には、背景用シート３を使用して積み木パーツ１を並べた場合の一実施形態を参考イメージ図として示した。白い背景用シート３を背景として設置し、積み木パーツ１の表面側１ａのＡ色で、数字の「１２３４」を表現した。このように、背景の色と積み木パーツ１の正面の色の組み合わせによって、仮の不可視状態を創出することができる。
【符号の説明】
【００３６】
１…積み木パーツ
１ａ…表面側
１ｂ…裏面側
１ｃ…接合部材（磁石）
１ｄ…マグネットカバー
２…積み木箱
２ａ…収納箱
２ｂ…ふた
３…背景用シート
【図１】
0003212486.tif 000003
【図２】
0003212486.tif 000004
【図３】
0003212486.tif 000005
【図４】
0003212486.tif 000006
【図５】
0003212486.tif 000007
【図６】
0003212486.tif 000008
【図７】
0003212486.tif 000009
【図８】
0003212486.tif 000010
【図９】
0003212486.tif 000011
【図１０】
0003212486.tif 000012
【図１１】
0003212486.tif 000013
【図１２】
0003212486.tif 000014
【図１３】
0003212486.tif 000015